(57)【要約】【課題】文字情報及び画像情報の双方を認識しやすく表示することができる携帯情報端末及び情報の表示方法の提供。【解決手段】表示部４を、表示面側から、少なくとも透過型の液晶パネルと第１のＬＥＤ光源２３及び第１の導光板１３と視差バリア１２と第２のＬＥＤ光源２２及び第２の導光板１１とで構成し、表示制御部３では、操作部５の操作、又は、選択された機能や表示部に表示するデータの種類に基づいて、第１のＬＥＤ光源２３及び第１の導光板１３を用いる２Ｄ表示、又は、視差バリア１２と第２のＬＥＤ光源２２及び第２の導光板１１を用いる３Ｄ表示の切り替え制御を行う。これにより、電子メールの作成やスケジュール管理などの文字情報を主とする表示では明瞭な表示を可能にし、静止画、動画、ＴＶ通話などの画像情報を主とする表示では立体的にリアリティのある表示を可能にする。【選択図】図３
2007187823.tif 000002
【特許請求の範囲】
【請求項１】
表示部と、前記表示部の表示を制御する表示制御部と、操作部とを少なくとも備える携帯情報端末において、
前記表示部は、表示面側から、透過型の液晶パネルと、第１の光源及び第１の導光板と、左右の眼の各々に対して光の進路を規制する視差バリアと、第２の光源及び第２の導光板とを少なくとも備え、
前記表示制御部では、前記操作部の操作に応じて、第１の光源及び第１の導光板を用いて前記液晶パネルを照明し、情報を２次元で表示する第１の表示と、前記液晶パネルに視差のある画像を並べて表示し、前記第２の光源及び前記第２の導光板を用いて前記視差バリアを介して前記液晶パネルを照明し、情報を３次元で表示する第２の表示との切り替え制御を行うことを特徴とする携帯情報端末。
【請求項２】
表示部と、前記表示部の表示を制御する表示制御部と、操作部とを少なくとも備える携帯情報端末において、
前記表示部は、表示面側から、透過型の液晶パネルと、第１の光源及び第１の導光板と、左右の眼の各々に対して光の進路を規制する視差バリアと、第２の光源及び第２の導光板とを少なくとも備え、
前記表示制御部は、選択された機能を判別する手段を備え、
前記表示制御部では、前記選択された機能が文字情報を主に表示する機能である場合には、第１の光源及び第１の導光板を用いて前記液晶パネルを照明し、前記文字情報を２次元で表示し、前記選択された機能が画像情報を主に表示する機能である場合には、前記液晶パネルに視差のある画像を並べて表示し、前記第２の光源及び前記第２の導光板を用いて前記視差バリアを介して前記液晶パネルを照明し、前記画像情報を３次元で表示することを特徴とする携帯情報端末。
【請求項３】
表示部と、前記表示部の表示を制御する表示制御部と、操作部とを少なくとも備える携帯情報端末において、
前記表示部は、表示面側から、透過型の液晶パネルと、第１の光源及び第１の導光板と、左右の眼の各々に対して光の進路を規制する視差バリアと、第２の光源及び第２の導光板とを少なくとも備え、
前記表示制御部は、表示するデータの種類を判別する手段を備え、
前記表示制御部では、前記表示するデータが文字情報を示すデータである場合には、第１の光源及び第１の導光板を用いて前記液晶パネルを照明し、前記文字情報を２次元で表示し、前記表示するデータが画像情報を示すデータである場合には、前記液晶パネルに視差のある画像を並べて表示し、前記第２の光源及び前記第２の導光板を用いて前記視差バリアを介して前記液晶パネルを照明し、前記画像情報を３次元で表示することを特徴とする携帯情報端末。
【請求項４】
表示部と、前記表示部の表示を制御する表示制御部と、操作部とを少なくとも備え、前記表示部が、表示面側から、少なくとも、透過型の液晶パネルと、第１の光源及び第１の導光板と、左右の眼の各々に対して光の進路を規制する視差バリアと、第２の光源及び第２の導光板とで構成される携帯情報端末における情報の表示方法であって、
予め定められた手順に従って前記操作部を操作するステップと、
前記操作部の操作に応じて、第１の光源及び第１の導光板を用いて前記液晶パネルを照明し、情報を２次元で表示する第１の表示と、前記液晶パネルに視差のある画像を並べて表示し、前記第２の光源及び前記第２の導光板を用いて前記視差バリアを介して前記液晶パネルを照明し、情報を３次元で表示する第２の表示とを切り替えるステップと、を少なくとも有することを特徴とする情報の表示方法。
【請求項５】
表示部と、前記表示部の表示を制御する表示制御部と、操作部とを少なくとも備え、前記表示部が、表示面側から、少なくとも、透過型の液晶パネルと、第１の光源及び第１の導光板と、左右の眼の各々に対して光の進路を規制する視差バリアと、第２の光源及び第２の導光板とで構成される携帯情報端末における情報の表示方法であって、
選択された機能を判別するステップと、
前記選択された機能が文字情報を主に表示する機能である場合には、第１の光源及び第１の導光板を用いて前記液晶パネルを照明し、前記文字情報を２次元で表示し、前記選択された機能が画像情報を主に表示する機能である場合には、前記液晶パネルに視差のある画像を並べて表示し、前記第２の光源及び前記第２の導光板を用いて前記視差バリアを介して前記液晶パネルを照明し、前記画像情報を３次元で表示するステップと、を少なくとも有することを特徴とする情報の表示方法。
【請求項６】
表示部と、前記表示部の表示を制御する表示制御部と、操作部とを少なくとも備え、前記表示部が、表示面側から、少なくとも、透過型の液晶パネルと、第１の光源及び第１の導光板と、左右の眼の各々に対して光の進路を規制する視差バリアと、第２の光源及び第２の導光板とで構成される携帯情報端末における情報の表示方法であって、
表示するデータの種類を判別するステップと、
前記表示するデータが文字情報を示すデータである場合には、第１の光源及び第１の導光板を用いて前記液晶パネルを照明し、前記文字情報を２次元で表示し、前記選択されたデータが画像情報を示すデータである場合には、前記液晶パネルに視差のある画像を並べて表示し、前記第２の光源及び前記第２の導光板を用いて前記視差バリアを介して前記液晶パネルを照明し、前記画像情報を３次元で表示するステップと、を少なくとも有することを特徴とする情報の表示方法。
【発明の詳細な説明】
【技術分野】
【０００１】
本発明は、携帯情報端末及び情報の表示方法に関し、特に、通常の２Ｄ表示と立体的な３Ｄ表示の双方が可能な２Ｄ／３Ｄディスプレイを搭載した携帯情報端末及び２Ｄ／３Ｄディスプレイを用いた情報の表示方法に関する。
【背景技術】
【０００２】
近年、携帯電話機等の携帯情報端末が広く普及している。この携帯情報端末では、液晶ディスプレイの解像度を上げ、画面を極力大きくして表示可能な情報量を多くすることにより差別化を図ってきたが、携帯情報端末の外形寸法及び液晶ディスプレイのサイズの制限により、差別化が難しくなってきている。
【０００３】
一方、従来の携帯情報端末は、通話や電子メールの送受信が主な機能であったため、液晶ディスプレイでは文字や記号などの情報（以下、文字情報と呼ぶ。）を見やすく表示すればよかったが、近年のマルチメディア化により、静止画や動画などの情報（以下、画像情と呼ぶ。）のウェイトが大きくなってきており、画像情報をいかに見やすく表示するかが重要な技術的要素になってきている。また、有機ＥＬ（Electroluminescence）ディスプレイの登場により、液晶ディスプレイの優位性を維持するためにも新たな機構が必要になってきている。
【０００４】
このような背景により、液晶ディスプレイを用いて画像情報を立体的に表示する３Ｄディスプレイが提案されている。この３Ｄディスプレイは、右目用の視差画像と左目用の視差画像とをストライプ状の画片に分割して交互に配列し、パララックスバリア（視差バリア）によって右目用の視差画像と左目用の視差画像の進路を規制することにより立体的な映像を得るものである。
【０００５】
このような視差バリアを用いる３Ｄディスプレイとして、例えば、下記特許文献１には、視差のある映像を交互に並べて表示する表示器と、複数の開口を有し、開口以外に部分で光を遮断するバリアを備え、バリアによって表示器からの映像光の進路を規制して左右の眼に異なる映像光を導いて、立体的な映像を提供する立体映像表示装置において、バリアの開口を左右方向、上下方向とも一定のピッチからずらして階段状に配列することにより、干渉縞の発生を抑える技術が開示されている。
【０００６】
【特許文献１】特開２００４−２６４７６２号公報（第５−６頁、第２図）
【発明の開示】
【発明が解決しようとする課題】
【０００７】
ここで、画像情報は使用者に感覚的に訴えるものであるため、立体的に表示することによって情報を認識しやすくすることができるが、文字情報は使用者に正確な情報を伝達するものであるため、立体的に表示することによってかえって認識が困難になってしまう。そのため、携帯情報端末の表示部を３Ｄディスプレイにすると、電子メール機能やスケジュール管理機能などを用いる場合に文字情報が認識しづらくなってしまうという問題がある。
【０００８】
本発明は上記問題点に鑑みてなされたものであって、その主たる目的は、文字情報及び画像情報の双方を認識しやすく表示することができる２Ｄ／３Ｄディスプレイを備えた携帯情報端末及び２Ｄ／３Ｄディスプレイを用いた情報の表示方法を提供することにある。
【課題を解決するための手段】
【０００９】
上記目的を達成するため、本発明は、表示部と、前記表示部の表示を制御する表示制御部と、操作部とを少なくとも備える携帯情報端末において、前記表示部は、表示面側から、透過型の液晶パネルと、第１の光源及び第１の導光板と、左右の眼の各々に対して光の進路を規制する視差バリアと、第２の光源及び第２の導光板とを少なくとも備え、前記表示制御部では、前記操作部の操作に応じて、第１の光源及び第１の導光板を用いて前記液晶パネルを照明し、情報を２次元で表示する第１の表示と、前記液晶パネルに視差のある画像を並べて表示し、前記第２の光源及び前記第２の導光板を用いて前記視差バリアを介して前記液晶パネルを照明し、情報を３次元で表示する第２の表示との切り替え制御を行うものである。
【００１０】
また、本発明は、表示部と、前記表示部の表示を制御する表示制御部と、操作部とを少なくとも備える携帯情報端末において、前記表示部は、表示面側から、透過型の液晶パネルと、第１の光源及び第１の導光板と、左右の眼の各々に対して光の進路を規制する視差バリアと、第２の光源及び第２の導光板とを少なくとも備え、前記表示制御部は、選択された機能を判別する手段を備え、前記表示制御部では、前記選択された機能が文字情報を主に表示する機能である場合には、第１の光源及び第１の導光板を用いて前記液晶パネルを照明し、前記文字情報を２次元で表示し、前記選択された機能が画像情報を主に表示する機能である場合には、前記液晶パネルに視差のある画像を並べて表示し、前記第２の光源及び前記第２の導光板を用いて前記視差バリアを介して前記液晶パネルを照明し、前記画像情報を３次元で表示するものである。
【００１１】
また、本発明は、表示部と、前記表示部の表示を制御する表示制御部と、操作部とを少なくとも備える携帯情報端末において、前記表示部は、表示面側から、透過型の液晶パネルと、第１の光源及び第１の導光板と、左右の眼の各々に対して光の進路を規制する視差バリアと、第２の光源及び第２の導光板とを少なくとも備え、前記表示制御部は、表示するデータの種類を判別する手段を備え、前記表示制御部では、前記表示するデータが文字情報を示すデータである場合には、第１の光源及び第１の導光板を用いて前記液晶パネルを照明し、前記文字情報を２次元で表示し、前記表示するデータが画像情報を示すデータである場合には、前記液晶パネルに視差のある画像を並べて表示し、前記第２の光源及び前記第２の導光板を用いて前記視差バリアを介して前記液晶パネルを照明し、前記画像情報を３次元で表示するものである。
【００１２】
また、本発明の方法は、表示部と、前記表示部の表示を制御する表示制御部と、操作部とを少なくとも備え、前記表示部が、表示面側から、少なくとも、透過型の液晶パネルと、第１の光源及び第１の導光板と、左右の眼の各々に対して光の進路を規制する視差バリアと、第２の光源及び第２の導光板とで構成される携帯情報端末における情報の表示方法であって、予め定められた手順に従って前記操作部を操作するステップと、前記操作部の操作に応じて、第１の光源及び第１の導光板を用いて前記液晶パネルを照明し、情報を２次元で表示する第１の表示と、前記液晶パネルに視差のある画像を並べて表示し、前記第２の光源及び前記第２の導光板を用いて前記視差バリアを介して前記液晶パネルを照明し、情報を３次元で表示する第２の表示とを切り替えるステップと、を少なくとも有するものである。
【００１３】
また、本発明の方法は、表示部と、前記表示部の表示を制御する表示制御部と、操作部とを少なくとも備え、前記表示部が、表示面側から、少なくとも、透過型の液晶パネルと、第１の光源及び第１の導光板と、左右の眼の各々に対して光の進路を規制する視差バリアと、第２の光源及び第２の導光板とで構成される携帯情報端末における情報の表示方法であって、選択された機能を判別するステップと、前記選択された機能が文字情報を主に表示する機能である場合には、第１の光源及び第１の導光板を用いて前記液晶パネルを照明し、前記文字情報を２次元で表示し、前記選択された機能が画像情報を主に表示する機能である場合には、前記液晶パネルに視差のある画像を並べて表示し、前記第２の光源及び前記第２の導光板を用いて前記視差バリアを介して前記液晶パネルを照明し、前記画像情報を３次元で表示するステップと、を少なくとも有するものである。
【００１４】
また、本発明の方法は、表示部と、前記表示部の表示を制御する表示制御部と、操作部とを少なくとも備え、前記表示部が、表示面側から、少なくとも、透過型の液晶パネルと、第１の光源及び第１の導光板と、左右の眼の各々に対して光の進路を規制する視差バリアと、第２の光源及び第２の導光板とで構成される携帯情報端末における情報の表示方法であって、表示するデータの種類を判別するステップと、前記表示するデータが文字情報を示すデータである場合には、第１の光源及び第１の導光板を用いて前記液晶パネルを照明し、前記文字情報を２次元で表示し、前記選択されたデータが画像情報を示すデータである場合には、前記液晶パネルに視差のある画像を並べて表示し、前記第２の光源及び前記第２の導光板を用いて前記視差バリアを介して前記液晶パネルを照明し、前記画像情報を３次元で表示するステップと、を少なくとも有するものである。
【００１５】
このように、本発明の携帯情報端末では、文字情報が主となる機能の使用時には、第１の光源及び第１の導光板を用いて明瞭な表示を行うことができ、画像情報が主となる機能の使用時には、視差バリアと第２の光源及び第２の導光板とを用いて立体的な表示を行うことができ、これにより、文字情報及び画像情報の双方を認識しやすく表示することができる。
【００１６】
また、表示制御部では、選択された機能や表示部に表示するデータの種類に基づいて、第１の光源及び第１の導光板を使用するか、視差バリアと第２の光源及び第２の導光板とを使用するかを選択するため、使用者が操作部を操作しなくても自動的に適切な表示形態に設定することができ、使用者の利便性を向上させることができる。
【発明の効果】
【００１７】
本発明の２Ｄ／３Ｄディスプレイ搭載携帯情報端末及び２Ｄ／３Ｄディスプレイを用いた情報の表示方法によれば、以下記載の効果を奏する。
【００１８】
本発明の第１の効果は、電子メールの作成やスケジュール管理などの文字情報を主とする表示においては、従来同様に解像度を保持した明瞭な表示を行うことができ、静止画、動画、ＴＶ通話などの画像情報を主とする表示においては、立体的にリアリティのある表示を行うことができるということである。
【００１９】
その理由は、表示部を、表示面側から、少なくとも透過型の液晶パネルと第１の光源及び第１の導光板と視差バリアと第２の光源及び第２の導光板とで構成し、表示制御部では、操作部の操作に従って２Ｄ表示／３Ｄ表示を切り替える制御を行うため、文字情報及び画像情報の双方を適切な表示形態で表示することができるからである。
【００２０】
また、本発明の第２の効果は、２Ｄ表示／３Ｄ表示の切り替えに際して、使用者の利便性を向上させることができるということである。
【００２１】
その理由は、表示制御部は、選択された機能や表示部に表示するデータの種類に基づいて、第１の光源及び第１の導光板を使用するか、視差バリアと第２の光源及び第２の導光板とを使用するかを自動的に選択するため、使用者が操作部を操作する手間を省くことができるからである。
【発明を実施するための最良の形態】
【００２２】
従来技術で示したように、携帯情報端末の差別化を図るための技術として３Ｄディスプレイが提案されている。この３Ｄディスプレイでは、視差バリアを用いて右目用の視差画像と左目用の視差画像の進路を規制することにより立体的な映像を得ることができ、静止画、動画、ＴＶ通話での画像情報を効果的に表示することが可能であるが、文字情報の認識においては視差が生じるために明確な表示がされないという問題がある。
【００２３】
そこで、本発明では、図８に示す従来の液晶ディスプレイに加えて、視差バリアと、第２のＬＥＤ光源及び第２の導光板とを設け、操作部を操作することにより、第１のＬＥＤ光源及び第１の導光板を用いて通常の平面的な表示（２Ｄ表示）を行うか、視差バリアと第２のＬＥＤ光源及び第２の導光板とを用いて立体的な表示（３Ｄ表示）を行うかを選択可能にする。また、表示制御部に、選択された機能又は表示するデータの種類に基づいて、２Ｄ表示又は３Ｄ表示を自動的に切り替える機能を設ける。これにより、文字情報及び画像情報の双方を認識しやすく表示できるようにする。以下、図面を参照して詳細に説明する。
【実施例１】
【００２４】
上記した本発明の実施の形態についてさらに詳細に説明すべく、本発明の第１の実施例に係る２Ｄ／３Ｄディスプレイ搭載携帯情報端末及び２Ｄ／３Ｄディスプレイを用いた情報の表示方法について、図１乃至図５を参照して説明する。図１は、第１の実施例に係る携帯情報端末の構成を示すブロック図であり、図２は、携帯情報端末の外観構成例を示す図である。また、図３は、本実施例の表示部の構造を模式的に示す図であり、図４は、３Ｄディスプレイの基本原理を説明するための図である。また、図５は、本実施例の携帯情報端末を用いた情報の表示手順を示すフローチャート図である。
【００２５】
図１に示すように、本実施例の携帯情報端末は、操作部５の操作と２Ｄ表示／３Ｄ表示との対応関係を規定するテーブルなどを記憶するメモリ２と、２Ｄ表示と３Ｄ表示の双方の表示が可能な表示部４及び２Ｄ表示／３Ｄ表示の切り替え制御を行う表示制御部３と、数字キーや方向キー、特定キーなどで構成される操作部５と、音声通話やＴＶ電話、電子メールの送受信、ｗｅｂの閲覧などを行う無線部６及びアンテナ７と、マイク８やスピーカ９などの入出力手段と、静止画や動画を撮影するためのデジタルカメラ部１０と、上記各手段を制御する主制御部１などを備えている。また、操作部５には、図２に示すように、２Ｄ表示と３Ｄ表示と切り替えるための表示切り替えキー５ａなどが設けられている。
【００２６】
なお、図１の構成は例示であり、携帯情報端末は、少なくとも、電子メール機能やスケジュール管理機能などの文字情報を主として取り扱う機能と、デジタルカメラ機能やＴＶ電話機能などの画像情報を主として取り扱う機能の双方を備えていればよい。また、２Ｄ表示と３Ｄ表示との切り替えは必ずしも専用のキーで行う必要はなく、通常のキーを予め定められた手順に従って操作することによって切り替えを行ってもよい。また、携帯情報端末の構造は特に限定されず、表示部４を備える筐体と操作部５を備える筐体とがヒンジによって開閉可能に支持される折り畳み式構造としてもよいし、両筐体がスライド可能に連結されたスライド構造としてもよいし、１つの筐体に表示部４と操作部５とを備える構造としてもよい。
【００２７】
また、図３に示すように、表示部４は、ＴＦＴ（Thin Film Transistor）などのスイッチング素子がマトリクス状に配列された基板（図中のＴＦＴ１６及び透明層１５）と、カラーフィルタやブラックマトリクスなどが形成された基板（図中のカラーフィルタ１８と透明層１９）と、両基板の間に狭持された液晶分子層１７と、透明層１５及び１９の外側に設けられた偏光フィルタ１４及び２０などの光学部材とで構成される液晶パネルと、偏光フィルタ２０の表示面側に設けられたガラス２１と、液晶パネルの裏面側に配置され、２Ｄ表示の際のバックライト光を発生させるＬＥＤなどの光源（第１のＬＥＤ光源２３と呼ぶ。）及び第１のＬＥＤ光源２３からのバックライト光を液晶パネルに導く第１の導光板１３と、第１の導光板の裏面側に配置される視差バリア１２と、視差バリア１２の裏面側に配置され、３Ｄ表示の際のバックライト光を発生させるＬＥＤなどの光源（第２のＬＥＤ光源２２と呼ぶ。）及び第２のＬＥＤ光源２２からのバックライト光を視差バリア１２を通して液晶パネルに導く第２の導光板１１とで構成されている。
【００２８】
上記第１の導光板１３は、第１のＬＥＤ光源２３からの光を液晶パネル側に反射すると共に、視差バリア１２を通過する第２のＬＥＤ光源２２からの光を透過することができるように半透過性の部材で形成されている。また、視差バリア１２は、左右からの視線入力に対し屈折させるレンズや、所定の開口を形成した遮光部材などで形成され、左右の眼の各々に対して光の進路を規制するように構成されている。
【００２９】
なお、図３の構成も例示であり、本実施例の表示部４は、透過型の液晶パネルと、第１のＬＥＤ光源２３及び第１の導光板１３と、視差バリア１２と、第２のＬＥＤ光源２２及び第２の導光板１１とを含んでいればよく、液晶パネルの構成や駆動方式、光源の種類などは特に限定されない。また、図３では、第１のＬＥＤ光源２３や第２のＬＥＤ光源２２を第１の導光板１３や第２の導光板１１の一方の側面に配置しているが、第１のＬＥＤ光源２３を第１の導光板１３の両側に配置したり、第２のＬＥＤ光源２２を面光源として視差バリア１２の裏面側に配置するなどの変更も可能である。
【００３０】
そして、表示制御部３では、操作部５の操作に応じて、第１のＬＥＤ光源２３及び第１の導光板１３、又は、視差バリア１２と第２のＬＥＤ光源２２及び第２の導光板１１とを用いて情報の表示を行う。すなわち、従来のように文字などを明瞭に表示する場合は、第１のＬＥＤ光源２３及び第１の導光板１３を用いて液晶パネルを照明して２Ｄ表示を行い、静止画や動画などを立体的に表示する場合は、第２のＬＥＤ光源２２及び第２の導光板１１を用いて視差バリア１２を介して液晶パネルを照明して３Ｄ表示を行う。
【００３１】
この３Ｄ表示の原理について図４を参照して説明する。図３の構成において、第２のＬＥＤ光源２２から照射される光に対し、液晶パネルの前で視差バリア１２によって光をさえぎると、観察者は、視差バリア１２で光がさえぎられることにより前段の液晶パネルの映像やカラーフィルタ１８の色を視覚できない。これにより、左右相違する方向からの視線入力２４はそれぞれその向き、位置により光源がさえぎられ、左右に映像や色の差が生じ、この映像や色の差により表示が立体的に見える錯覚が生じる。
【００３２】
次に、上記構成の携帯情報端末を用いて情報を表示する手順について、図５のフローチャート図を参照して説明する。
【００３３】
まず、ステップＳ１０１で、使用者は表示部４に文字情報を表示するか画像情報を表示するかを選択し、ステップＳ１０２で、情報の内容に応じて予め設定されたキー操作を行う。次に、ステップＳ１０３で、表示制御部３は、操作部５のキー操作を判別し、キー操作が２Ｄ表示に設定する操作の場合は、ステップＳ１０４で、表示部４の第１のＬＥＤ光源２３及び第１の導光板１３を用いて液晶パネルを照明して２Ｄ表示を行い、キー操作が３Ｄ表示に設定する操作の場合は、ステップＳ１０５で、液晶パネルに視差のある画像を並べて表示し、第２のＬＥＤ光源２２及び第２の導光板１１を用いて視差バリア１２により左右の眼の各々に対する光の進路を規制して液晶パネルを照明して上記原理に基づいて３Ｄ表示を行う。
【００３４】
なお、２Ｄ表示／３Ｄ表示の設定に際して、デフォルトの設定は２Ｄ表示又は３Ｄ表示のどちらでもよく、例えば、常に一方の表示がデフォルトとして設定されるようにしてもよいし、最後に設定した表示がデフォルトとして設定されるようにしてもよい。また、２Ｄ表示や３Ｄ表示の表示時間や設定回数などを履歴情報としてメモリ２に記憶しておき、表示制御部３で、履歴情報に基づいて表示時間や設定回数の多い方をデフォルトとして設定するようにしてもよい。
【００３５】
このように、本実施例の携帯情報端末では、表示部４を、表示面側から少なくとも透過型の液晶パネルと第１のＬＥＤ光源２３及び第１の導光板１３と視差バリア１２と第２のＬＥＤ光源２２及び第２の導光板１１とで構成し、表示制御部３では、操作部５の操作に基づいて、第１のＬＥＤ光源２３及び第１の導光板１３を用いた２Ｄ表示、又は、視差バリア１２と第２のＬＥＤ光源２２及び第２の導光板１１とを用いた３Ｄ表示のいずれかで表示部４の表示を制御するため、明瞭に表示することが求められる文字情報でも、立体的に表示することが求められる画像情報でも、効果的に表示することができる。
【実施例２】
【００３６】
次に、本発明の第２の実施例に係る２Ｄ／３Ｄディスプレイ搭載携帯情報端末及び２Ｄ／３Ｄディスプレイを用いた情報の表示方法について、図６及び図７を参照して説明する。図６及び図７は、本実施例の携帯情報端末を用いた情報の表示手順を示すフローチャート図である。
【００３７】
前記した第１の実施例では、使用者が予め定められた手順に従って操作部５を操作することによって２Ｄ表示／３Ｄ表示の切り替えを行ったが、この方法では、情報を表示する前に使用者が表示の切り替えを行わなければならず、操作が煩雑である。そこで、本実施例では、表示制御部３で、表示される情報が文字情報か画像情報かを判断し、情報の内容に応じて自動的に表示を切り替えるようにする。
【００３８】
ここで、表示される情報が文字情報か画像情報かを判断する方法として、選択されている機能に基づいて判断する第１の方法と、表示するデータの種類に基づいて判断する第２の方法などがある。
【００３９】
第１の方法は、例えば、電子メール機能やスケジュール管理機能が選択されている場合は表示部４に主として文字情報が表示され、デジタルカメラ機能やＴＶ電話機能などが選択されている場合は表示部４に主として画像情報が表示されることから、表示制御部３では、現在選択されている機能を主制御部１から取得し、選択されている機能に基づいて２Ｄ表示／３Ｄ表示の切り替えを行う。
【００４０】
この場合の情報の表示手順は図６のようになり、まず、ステップＳ２０１で、使用者が操作部５を操作して使用する機能を選択すると、ステップＳ２０２で、表示制御部３は、主制御部１からの情報に基づいて選択された機能を判別する。次に、ステップＳ２０３で、予めメモリ２に記憶されたテーブルを参照して、選択された機能が文字情報を主に表示する機能か、画像情報を主に表示する機能かを判断する。
【００４１】
そして、選択された機能が電子メール機能やスケジュール管理機能などの場合には、ステップＳ２０４で、第１のＬＥＤ光源２３及び第１の導光板１３を用いて液晶パネルを照明して２Ｄ表示を行い、選択された機能がデジタルカメラ機能やＴＶ電話機能などの場合は、ステップＳ２０５で、液晶パネルに視差のある画像を並べて表示し、第２のＬＥＤ光源２２及び第２の導光板１１を用いて視差バリア１２により左右の眼の各々に対する光の進路を規制して液晶パネルを照明して３Ｄ表示を行う。
【００４２】
また、第２の方法は、例えば、電子メール機能やスケジュール管理機能が選択されている場合は表示部４に主としてテキストデータが表示され、デジタルカメラ機能やＴＶ電話機能などが選択されている場合は表示部４に主として画像データが表示されることから、表示制御部３では、データの拡張子などを参照して、表示しようとするデータが文字情報を示すデータであるか、画像情報を示すデータであるかを判断する。
【００４３】
この場合の情報の表示手順は図７のようになり、まず、ステップＳ３０１で、使用者は操作部５を操作して使用する機能を選択し、ステップＳ３０２で、選択された機能で表示するデータ（例えば、電子メール機能で受信したメール文やデジタルカメラ機能で撮影した画像など）を選択する。次に、ステップＳ３０３で、表示制御部３は、選択されたデータの拡張子などを参照して、そのデータが文字情報を示すデータであるのか、画像情報を示すデータであるのか判別する。
【００４４】
そして、ステップＳ３０４で、選択されたデータがテキストデータなどの場合には、ステップＳ３０５で、第１のＬＥＤ光源２３及び第１の導光板１３を用いて液晶パネルを照明して２Ｄ表示を行い、選択されたデータが画像データなどの場合は、ステップＳ３０６で、液晶パネルに視差のある画像を並べて表示し、第２のＬＥＤ光源２２及び第２の導光板１１を用いて視差バリア１２により左右の眼の各々に対する光の進路を規制して液晶パネルを照明して３Ｄ表示を行う。
【００４５】
このように、本実施例では、表示制御部３は、選択されている機能や表示しようとするデータの種類に基づいて２Ｄ表示／３Ｄ表示の切り替えを自動的に行うため、使用者が表示の都度、表示形態を切り替える必要がなくなり、操作性を向上させることができる。
【００４６】
なお、上記第１及び第２の実施例では、視差バリア１２として、左右からの視線入力に対し屈折させるレンズや、所定の開口を形成した遮光部材などを用いたが、本発明は上記実施例に限定されるものではなく、視差バリア１２を液晶膜で構成し、光の透過／遮断による制御によって同様に機能させることも可能である。この場合は、視差バリア１２と液晶パネルとの間の第１の導光板１３及び第１のＬＥＤ光源２３は不要であり、２Ｄ表示を行う場合は視差バリア１２の全面を透過状態にし、３Ｄ表示を行う場合は視差バリア１２の一部を透過状態にして視線を規制すればよい。
【産業上の利用可能性】
【００４７】
２Ｄ表示に適した情報と３Ｄ表示に適した情報の双方を表示する機能を備えた任意の機器及びその機器を用いた情報の表示方法に適用することができる。
【図面の簡単な説明】
【００４８】
【図１】本発明の第１の実施例に係る携帯情報端末の機能を示すブロック図である。
【図２】本発明の第１の実施例に係る携帯情報端末の外観構成例を示す図である。
【図３】本発明の第１の実施例に係る携帯情報端末の表示部の構成を模式的に示す斜視図である。
【図４】３Ｄディスプレイの基本原理を示す図である。
【図５】本発明の第１の実施例に係る携帯情報端末を用いた情報の表示手順を示すフローチャート図である。
【図６】本発明の第２の実施例に係る携帯情報端末を用いた情報の表示手順を示すフローチャート図である。
【図７】本発明の第２の実施例に係る携帯情報端末を用いた情報の表示手順を示すフローチャート図である。
【図８】従来の携帯情報端末の表示部の構成を模式的に示す斜視図である。
【符号の説明】
【００４９】
１、５１  主制御部
２  メモリ
３、５０  表示制御部
４  表示部
５  操作部
５ａ  表示切り替えキー
６  無線部
７  アンテナ
８  マイク
９  スピーカ
１０  デジタルカメラ部
１１  第２の導光板
１２  視差バリア
１３  第１の導光板
１４、２０、４１、４７  偏光フィルタ
１５、１９、４２、４６  透明層
１６、４３  ＴＦＴ
１７、４４  液晶分子層
１８、４５  カラーフィルタ
２１、４８  ガラス
２２  第２のＬＥＤ光源
２３  第１のＬＥＤ光源
２４  視線入力
４０  導光板
４９  ＬＥＤ光源
【図１】
2007187823.tif 000003
【図２】
2007187823.tif 000004
【図３】
2007187823.tif 000005
【図４】
2007187823.tif 000006
【図５】
2007187823.tif 000007
【図６】
2007187823.tif 000008
【図７】
2007187823.tif 000009
【図８】
2007187823.tif 000010